(57)【要約】【課題】見栄えおよび使い勝手のよい収納機能付きのヘッドレスト装置を提供すること。【解決手段】複数のピースを有し、これらのピースが繋ぎ合わされて一体化されたカバー部材２０と、このカバー部材２０の内部に配されたクッション部材１０と、を備え、前記複数のピースのうちの少なくとも一つ（例えば後側ピース２２）の外側には、当該ピース２２と略同じ形状に形成されるとともに、原位置において周縁の位置が当該ピース２２の周縁の位置と略一致するように当該ピース２２に重ね合わされたポケット部材３０が設けられているヘッドレスト装置１とする。【選択図】図３
2014018302.tif 000002
【特許請求の範囲】
【請求項１】
複数のピースを有し、これらのピースが繋ぎ合わされて一体化されたカバー部材と、
このカバー部材の内部に配されたクッション部材と、を備え、
前記複数のピースのうちの少なくとも一つの外側には、当該ピースと略同じ形状に形成されるとともに、原位置において周縁の位置が当該ピースの周縁の位置と略一致するように当該ピースに重ね合わされたポケット部材が設けられていることを特徴とするヘッドレスト装置。
【請求項２】
前記ポケット部材は、その一部が外側に折り返し可能となるように設けられ、
当該部分の折り返し量を調整する調整機構をさらに備えることを特徴とする請求項１に記載のヘッドレスト装置。
【請求項３】
前記ポケットにおける折り返し可能な部分には、カバー部材に設けられた第一被係合部に係合することにより、前記ポケット部材が原位置に位置した状態を維持する係合部が設けられ、
この係合部は、前記ポケット部材の一部が折り返されたときに、前記調整機構が有する第二被係合部に係合可能であることを特徴とする請求項２に記載のヘッドレスト装置。
【発明の詳細な説明】
【技術分野】
【０００１】
本発明は、収納機能が設けられたヘッドレスト装置に関する。
【背景技術】
【０００２】
例えば下記特許文献１に記載されるように、車両内の収納機能を向上させるため、シートのヘッドレスト部分にポケットが配置されたものが公知である。
【先行技術文献】
【特許文献】
【０００３】
【特許文献１】実開平３−８２０５４号公報
【発明の概要】
【発明が解決しようとする課題】
【０００４】
しかし、上記特許文献１に記載の構成は、クッション部材を覆うカバー部材を構成するピース（縫合された部分に囲まれる部分）とは全く異なる形状のポケットが配置されているため、見栄えが悪い。
【０００５】
本発明が解決しようとする課題は、見栄えおよび使い勝手のよい収納機能付きのヘッドレスト装置を提供することにある。
【課題を解決するための手段】
【０００６】
上記課題を解決するために本発明にかかるヘッドレスト装置は、複数のピースを有し、これらのピースが繋ぎ合わされて一体化されたカバー部材と、このカバー部材の内部に配されたクッション部材と、を備え、前記複数のピースのうちの少なくとも一つの外側には、当該ピースと略同じ形状に形成されるとともに、原位置において周縁の位置が当該ピースの周縁の位置と略一致するように当該ピースに重ね合わされたポケット部材が設けられていることを要旨とする。
【０００７】
上記本発明によれば、ポケット部材の形状がカバー部材を構成するピースの形状と略一致するため、見栄えがよい。
【０００８】
また、前記ポケット部材は、その一部が外側に折り返し可能となるように設けられ、当該部分の折り返し量を調整する調整機構をさらに備えていればよい。
【０００９】
このような調整機構を備えていれば、ポケットの収納部の深さを適宜調整することができる。つまり、収納物の大きさ等に合わせてポケットの収納部の深さを変化させることができ、使用性に優れる。
【００１０】
また、前記ポケットにおける折り返し可能な部分には、カバー部材に設けられた第一被係合部に係合することにより、前記ポケット部材が原位置に位置した状態を維持する係合部が設けられ、この係合部は、前記ポケット部材の一部が折り返されたときに、前記調整機構が有する第二被係合部に係合可能であればよい。
【００１１】
このようにすれば、ポケット部材が原位置に位置した状態を維持させる場合、所定の折り返し量で折り返された状態を維持させる場合、のいずれの場合においても係合部が被係合部に係合される。つまり、係合部が二つの機能を発揮する部材となるから、部品点数を少なくすることができる。
【発明の効果】
【００１２】
本発明によれば、見栄えがよく、使用性にも優れる収納機能付きのヘッドレスト装置が得られる。
【図面の簡単な説明】
【００１３】
【図１】本発明の一実施形態にかかるヘッドレスト装置の外観図であり、ポケット部材が原位置に位置している状態を示したものである。
【図２】本発明の一実施形態にかかるヘッドレスト装置の外観図であり、ポケット部材の一部が折り返される様子を示したものである。
【図３】本発明の一実施形態にかかるヘッドレスト装置の断面図であり、ポケット部材が原位置に位置している状態を示したものである。
【図４】本発明の一実施形態にかかるヘッドレスト装置の断面図であり、ポケット部材の一部が折り返された状態を示したものである。
【図５】第一変形例にかかるヘッドレスト装置の断面図であり、ポケット部材の一部が折り返された状態を示したものである。
【図６】第二変形例にかかるヘッドレスト装置の外観図であり、ポケット部材が原位置に位置している状態を示したものである。
【図７】第二変形例にかかるヘッドレスト装置の外観図であり、ポケット部材の一部が折り返された状態を示したものである。
【図８】第二変形例にかかるヘッドレスト装置の断面図であり、ポケット部材の一部が折り返された状態を示したものである。
【図９】第三変形例にかかるヘッドレスト装置の断面図であり、ポケット部材の一部が折り返された状態を示したものである。
【発明を実施するための形態】
【００１４】
本発明の実施形態について図面を参照しつつ説明する。なお、以下の説明において、単に前後方向とは車両の前後方向（進行方向を前とする）をいい、上下方向とは車両の上下方向をいい、幅方向とは車両の幅方向をいうものとする。
【００１５】
図１〜図４に示す本発明の一実施形態にかかるヘッドレスト装置１は、クッション部材１０、カバー部材２０、およびポケット部材３０を備える。これらが一体化されたものは、周知のステー９０を介してシート本体に取り付けられる。クッション部材１０は、例えば合成樹脂材料の発泡体等から形成されたクッション性のある部材であって、乗員の頭部を支えるヘッドレストとして適当な形状に形成される。
【００１６】
カバー部材２０は、このクッション部材１０を覆う部材であって、複数のピース（布帛）が繋ぎ合わされて一体化されたものである。本実施形態では、カバー部材２０は、ヘッドレストの前側を覆うピース２１と、後側を覆うピース２２と、側面および上面を覆うピース２３と、下面を覆うピース２４とを含む。なお、本発明における「ピース」とは、複数の布帛が縫合されてカバー部材２０が形成された状態でのものをいい、縫合される前の状態でのもの（縫い代等を含むカバー部材２０の材料としての布帛の状態）をいうわけではない。つまり、各ピースは、カバー部材２０がクッション部材１０に取り付けられた状態において、縫合部分（すなわち別のピースとの境界部分）に囲まれる部分をいう。
【００１７】
ポケット部材３０は、カバー部材２０の外側に設けられている。本実施形態では、カバー部材２０を構成する一のピースであるクッション材の後側を覆うピース（以下、後側ピース２２と称する）の外側、すなわち当該ピースの後側に取り付けられている。このポケット部材３０は、その周縁の位置が、原位置に位置した状態（後述するようにポケット部材３０の一部が折り返されていない状態をいうものとする）において、後側ピース２２の周縁の位置と略一致するように当該後側ピース２２に重ね合わされている。具体的には以下の通りである。
【００１８】
ポケット部材３０における上下方向略中央より下側の周縁は、後側ピース２２の上下方向略中央より下側の周縁と略一致するようにして、カバー部材２０に縫合されている（以下、縫合されたポケット部材３０における上下方向略中央より下側の部分を縫合部３１と称することもある）。つまり、このポケット部材３０における周囲が縫合された縫合部３１と後側ピース２２とによって、上方が開口した（上方以外の箇所が閉鎖された）空間Ｓが形成されている。当該空間Ｓは、収納物が収納される収納部の少なくとも一部となる。一方、ポケット部材３０における上下方向略中央より上側の周縁は、カバー部材２０に縫合されていない。そのため、ポケット部材３０における上下方向略中央より上側の部分は下側に折り返し可能である（以下、ポケット部材３０における上下方向略中央より上側の折り返し可能な部分を折返部３２と称することもある）。なお、ポケット部材３０の縫合部３１の大きさは適宜調整可能である。上記上方が開口した空間Ｓを大きくしたければ縫合部分を大きくすればよいし、上記折返部３２を大きくしたければ縫合部分を小さくすればよい。
【００１９】
折返部３２には係合部３２１が設けられている。一方、カバー部材２０には係合部３２１が係合可能な第一被係合部２２１が設けられている。本実施形態では、係合部３２１は折返部３２の先端（上端）近傍における幅方向略中央に設けられている。第一被係合部２２１は、後側ピース２２の上端近傍における幅方向略中央に設けられている。この係合部３２１および第一被係合部２２１は、係合部３２１と第一被係合部２２１が係合した状態において、ポケット部材３０が原位置に位置した状態となる位置に設けられている。ポケット部材３０が原位置に位置しているとき、ポケット部材３０の周縁は、後側ピース２２の周縁と略一致した状態にある。
【００２０】
このように、係合部３２１および第一被係合部２２１は、ポケット部材３０が原位置に位置した状態を維持するための部材として機能する。本実施形態では、係合部３２１および第一被係合部２２１を構築する部材として、一方側に形成される凹部に他方側に形成される凸部を圧入することで、両者の係合状態が維持される「スナップボタン」を適用している。当該スナップボタンを構成する一方の部材である、折返部３２に設けられる係合部３２１は磁性材料で構成されている。具体的には、少なくとも、折返部３２の外側に露出する部分（ボタンを係合させる際に、ボタンを操作するものが指で押す部分；（スナップボタン）カバーなどと称される）が磁性材料で形成されている。
【００２１】
そして、本実施形態にかかるヘッドレスト装置１には、折返部３２の折り返し量を調整する調整機構が設けられている。当該調整機構の構成は以下の通りである。ポケット部材３０における縫合部３１の内側の面（前側の面、すなわち空間Ｓに面する側の面）には、それぞれが第二被係合部３１１を構成する複数の磁石が設けられている。各磁石は、幅方向略中央で、上下方向に略真っ直ぐ並ぶように設けられている。
【００２２】
ポケット部材３０における折返部３２を下方に向けて折り返すと、外側が磁性材料で形成された係合部３２１が、ポケット部材３０を構成する布帛を挟んで磁石に対向する。係合部３２１をいずれかの磁石に近づけると、図４に示すように係合部３２１は当該一の磁石にくっつく（第二被係合部３１１に係合する）。このように係合部３２１と一の磁石がくっつくことにより、折返部３２が折り返された状態が維持される。磁石は上下方向に並んでいるから、係合部３２１をどの磁石にくっつかせるかによって折返部３２の折り返し量は変化する。つまり、上下方向に並ぶ複数の磁石である第二被係合部３１１を有する調整機構は、折返部３２の折り返し量を段階的に調整することができる。
【００２３】
このように、本実施形態にかかるヘッドレスト装置１によれば、ポケットの収納部の深さを適宜調整することができる。具体的には、縫合部３１と後側ピース２２とによって形成される空間Ｓの開放した上方の端縁から上方に延びる部分の大きさを適宜変化させることができる。つまり、本実施形態にかかるヘッドレスト装置１は、収納物の大きさ等に合わせて収納部の形状（収納部の入口部分の形状）を変化させることができ、使い勝手がよい。また、ポケット部材３０が原位置に位置している状態（収納部を閉鎖している状態）にあるとき、当該原位置に位置するポケット部材３０が、カバー部材２０を構成する一のピースである後側ピース２２とぴったり重なるため、見栄えがよい。さらには、上述のように周縁が略一致するため、ポケット部材３０の縫合部３１を後側ピース２２と一緒にその他のピースに縫い付けることができるため、製造が容易である。
【００２４】
以下、上記本発明の一実施形態にかかるヘッドレスト装置１の変形例について説明する。なお、以下では、上記実施形態にかかるヘッドレスト装置１と異なる点を中心にし、具体的な説明がない箇所については上記実施形態にかかるヘッドレスト装置１と同じ構成であるものとする。
【００２５】
図５に示す第一変形例にかかるヘッドレスト装置１ａは、ポケット部材３０の折り返し量を調整する調整機構が、第二被係合部３１２として、ポケット部材３０における縫合部３１の内側の面における幅方向略中央に設けられた上下方向に延びる（上下方向に長い）一の磁石を有するものである。このように上下方向に延びる磁石を設ければ、この磁石の上端から下端までの範囲に係合部３２１が位置するように折返部３２を折り返せば、係合部３２１と磁石がくっつく。つまり、係合部３２１と第二被係合部３１２の係合により、ポケット部の一部が折り返された状態を維持することができる。しかも、第二被係合部３１２である磁石は上下方向に長いため、当該磁石の上下方向における長さの範囲で、無段階に折返し量を調整することが可能である。換言すれば、収納部の深さを無段階に調整することが可能である。
【００２６】
図６〜図８に示す第二変形例にかかるヘッドレスト装置１ｂは、カバー部材２０の後側ピース２２の外側に設けられた一部が折返し可能なポケット部材の外側に、さらにポケット部材が設けられたものである。以下、両ポケット部材を区別するために、一部が折返し可能なポケット部材を第一ポケット部材３０（後述する第一線ファスナ３３が設けられているという点以外に関しては、上記実施形態におけるポケット部材３０と同じ構成である）、この第一ポケット部材３０の外側に設けられたポケット部材を第二ポケット部材４０と称する。
【００２７】
第一ポケット部材３０の外側には、上下方向における略中央、具体的には縫合部３１と折返部３２との境界に、幅方向に沿う第一線ファスナ３３が設けられている。一方、第二ポケット部材４０は、第一ポケット部材３０の縫合部３１と略同じ形状に形成され、上側の周縁を除く周縁が、後側ピース２２の周縁および第一ポケット部材３０の周縁と略一致するようにしてカバー部材２０に縫合されている。つまり、後側ピース２２と第一ポケット部材３０の間に上方が開口した所定の大きさの空間（第一空間Ｓ１）が形成されるとともに、第一ポケット部材３０と第二ポケット部材４０の間にも所定の大きさの空間（第二空間Ｓ２）が形成される（図８参照）。第二ポケット部材４０の上側の周縁には、上記第一線ファスナ３３と対になる第二線ファスナ４１が設けられている。第一線ファスナ３３または第二線ファスナ４１には、離れた状態にある両線ファスナを係合させる、または係合した状態にある線ファスナの係合を解消するスライダ４２が設けられている。つまり、スライダ４２の操作により、上記第二空間Ｓ２の上側を開放状態または閉鎖状態にすることができる。
【００２８】
このように、本変形例にかかるヘッドレスト装置１ｂは、第一空間Ｓ１および収納物の入口を閉鎖することができる第二空間Ｓ２という二つの収納空間が形成されたものである。このうち、第二空間Ｓ２は、収納物が収納可能な空間としてだけでなく、第一ポケット部材３０の折返し量を調整するための調整機構としても機能する。具体的には次の通りである。第一ポケット部材３０を折り返す際には、スライダ４２を操作し第二空間Ｓ２の上側を開放状態とする。図８に示すように、この開放状態となった第二空間Ｓ２に第一ポケット部材３０の折返し部を挿入すれば、第一ポケット部材３０の一部が折り返された状態を維持することができる。つまり、第二空間Ｓ２への折返し部の挿入量（上下方向における折返し部の挿入長さ）を適宜変化させることにより、後側ピース２２と第一ポケット部材３０の間の収納部の深さを無段階に調整することが可能である。
【００２９】
本変形例においては、線ファスナ３３，４１の凹凸は、第一ポケット部材３０の一部が折り返された状態が解消されないように維持する抵抗となる。つまり、本変形例は、線ファスナ３３，４１を、第二空間Ｓ２の開放・閉鎖を切り替える部材として機能させるだけでなく、第一ポケット部材３０が折り返されたとき、その状態を安定したものとする部材としても機能させている。また、第一ポケット部材３０が折り返された状態をさらに安定したものとしたい場合には、スライダ４２を操作し第二空間Ｓ２の上側の開口部の大きさを変化させ、当該開口部の周縁によって第一ポケット部材３０の折返し部を挟み込むような状態とすればよい。
【００３０】
なお、第二空間Ｓ２の開放・閉鎖を切り替えるための部材として適用できるものは線ファスナに限られない。ボタン（ボタンホールに留め具を挿入して引っ掛けるボタンやスナップボタン）、面ファスナ等が適用できる。
【００３１】
図９に示す第三変形例にかかるヘッドレスト装置１ｃは、第二変形例にかかるヘッドレスト装置１ｂに複数の磁石（第二被係合部３１１）を設けたものである。かかる複数の磁石は、第一ポケット部材３０における縫合部３１の内側の面であって、前後方向で第二ポケット部材４０に重なる位置に設けられる。これら複数の磁石は、上記実施形態にかかるヘッドレスト装置１と同様に、幅方向略中央で上下方向に略真っ直ぐ並ぶ。
【００３２】
このような複数の磁石を設けることにより、第一ポケット部材３０が折り返されたとき、第二空間Ｓ２に入り込んだ折返部３２に設けられた係合部３２１が、当該複数の磁石のうちの一つにくっついた状態とすることができる。このように、本変形例にかかるヘッドレスト装置１ｃによれば、第一ポケット部材３０が折り返された状態を、折返部３２が第二空間Ｓ２に挿入されていること、および当該折返部３２に設けられた係合部３２１が一の磁石にくっつくことにより維持することができる。つまり、第一ポケット部材３０が折り返された状態をさらに安定させることができる。
【００３３】
なお、このように上下方向に略真っ直ぐ並ぶように複数の磁石を設ければ、第一ポケット部材３０の折返し量を段階的に調整することができる。一方、第一ポケット部材３０の折返し量を無段階に調整することができる構成としたいのであれば、当該複数の磁石に代えて、上記第一変形例で説明した上下方向に延びる（上下方向に長い）一の磁石を設ければよい。
【００３４】
以上、本発明の実施形態について詳細に説明したが、本発明は上記実施形態に何ら限定されるものではなく、本発明の要旨を逸脱しない範囲で種々の改変が可能である。
【００３５】
例えば、ポケット部材３０が原位置に位置した状態を維持するための部材として「スナップボタン」を用いていることを説明したが、当該機能を発揮させるためであれば、その他の部材を用いてもよい。当該部材の例としては、ボタンホールに留め具を挿入して引っ掛けるボタン、面ファスナ等が挙げられる。ただし、係合部３２１を第二被係合部３１１，３１２である磁石に係合させることにより、ポケット部材３０の折り返し量を調整することが可能な構成（上記実施形態、第一変形例、または第三変形例にかかるヘッドレスト装置のような磁石を用いた構成）とするのであれば、折り返し部の外側に露出する部分が磁性材料で形成された係合部３２１（スナップボタン）を採用するとよい。
【００３６】
また、上記実施形態および各変形例では、カバー部材２０を構成する一のピースである後側ピース２２にポケット部材３０が設けられていることを説明したが、それ以外のピースにポケット部材３０が設けられた構成としてもよい。例えば、ヘッドレストの幅方向外側の側面が一のピースで構成される場合に、当該ピースの形状に合わせた（原位置において周縁の位置が略一致する）ポケット部材３０を設けた構成としてもよい。
【符号の説明】
【００３７】
１  ヘッドレスト装置
１０  クッション部材
２０  カバー部材
２２  後側ピース
２２１  第一被係合部
３０  ポケット部材
３１  縫合部
３１１、３１２  第二被係合部
３２  折返部
３２１  係合部
【図１】
2014018302.tif 000003
【図２】
2014018302.tif 000004
【図３】
2014018302.tif 000005
【図４】
2014018302.tif 000006
【図５】
2014018302.tif 000007
【図６】
2014018302.tif 000008
【図７】
2014018302.tif 000009
【図８】
2014018302.tif 000010
【図９】
2014018302.tif 000011